(57)【要約】【課題】  住居人が不在であっても所定のセキュリティ空間におけるセキュリティを高めることができるインターホンシステム等を提供することを目的とする。【解決手段】  インターホンシステムにおけるインターホン親機１が、所定のセキュリティ空間に設置された人体検知センサ４と接続され、当該人体検知センサ４によって所定のセキュリティ空間に人物が進入したことが検出された時に、当該インターホン親機１の動作モードが留守モードに設定されている場合には、増設スピーカ６から、室内の生活音を出力させる。【選択図】      図１
2009290350.tif 000002
【特許請求の範囲】
【請求項１】
玄関先に設置されたドアホン子器と、
室内に設置され、所定の音声を出力する放音手段を備えたインターホン親機とを備えたインターホンシステムにおいて、
前記インターホン親機は、所定のセキュリティ空間に設置された人体検知センサと接続され、当該人体検知センサによって所定のセキュリティ空間に人物が進入したことが検出された時、当該インターホン親機の動作モードが留守モードに設定されている場合には、前記放音手段から、室内の生活音を出力させることを特徴とするインターホンシステム。
【請求項２】
室内に設置され、玄関先に設置されたドアホン子器と接続されたインターホン親機であって、
所定のセキュリティ空間に設置された人体検知センサと接続され、前記人体検知センサによって所定のセキュリティ空間に人物が進入したことが検出された時、動作モードが留守モードに設定されている場合には、前記放音手段から、室内の生活音を出力させることを特徴とするインターホン親機。
【発明の詳細な説明】
【技術分野】
【０００１】
本発明は、ドアホン子器とインターホン親機との組み合わせによって構成され、自宅のセキュリティに利用できるインターホンシステム、インターホン親機に関する。
【背景技術】
【０００２】
従来より、インターホンシステムによって自宅のセキュリティを行う技術としては、下記の特許文献１に記載されたものが知られている。
【０００３】
このインターホンシステムは、インターホン親機に人体検知センサを接続して、当該人体検知センサによって人物を検出してから所定時間に亘って人物が検出され続けた場合には、インターホン親機によって警報音を鳴動している。これにより、この技術では、住居人に不審者の存在を知らせることをしていた。
【特許文献１】特開平７−１４６９９３
【発明の開示】
【発明が解決しようとする課題】
【０００４】
しかしながら、特許文献１に記載された技術では、不審者の進入時にはインターホン親機によって住宅内で警報音を鳴動させるだけなので、住居人が不在である時のセキュリティについては意味のないものである。
【０００５】
そこで、本発明は、上述した実情に鑑みて提案されたものであり、住居人が不在であっても所定のセキュリティ空間におけるセキュリティを高めることができるインターホンシステム、インターホン親機を提供することを目的とする。
【課題を解決するための手段】
【０００６】
本発明は、インターホンシステムにおけるインターホン親機が、所定のセキュリティ空間に設置された人体検知センサと接続され、当該人体検知センサによって所定のセキュリティ空間に人物が進入したことが検出された時に、当該インターホン親機の動作モードが留守モードに設定されている場合には、放音手段から、室内の生活音を出力させることにより、上述の課題を解決する。
【発明の効果】
【０００７】
本発明によれば、人体検知センサによって所定のセキュリティ空間に人物が進入したことが検出された時、インターホン親機の動作モードが留守モードに設定されている場合には室内の生活音を出力させるので、住居人が不在であっても所定のセキュリティ空間におけるセキュリティを高めることができる。
【発明を実施するための最良の形態】
【０００８】
以下、本発明の実施の形態について図面を参照して説明する。
【０００９】
このインターホンシステムは、例えば図１に示すように、インターホン親機１に、ドアホン子器２と、交流電源ＡＣ及び電源部３と、人体検知センサ４及び当該人体検知センサ４のための電源部５と、増設スピーカ６を備える。このインターホンシステムは、人体検知センサ４によって住宅区域内の所定のセキュリティ空間に不審者が進入したことを検知した場合に、住宅内で生活音を発生させることによって、不審者に対して住人が在宅であると思わせたり威嚇したりするものである。
【００１０】
このインターホンシステムにおいて、インターホン親機１は住宅内に設けられ、ドアホン子器２は玄関先に設けられている。そして、このインターホンシステムにおいては、人体検知センサ４を、住宅の庭なども含めた住宅区域としての所定のセキュリティ空間に設ける。この人体検知センサ４は、具体的には、玄関先のみならず、住宅の敷地の出入口や庭など、隣接する住宅区域を区分する壁の内側の各所に設けられている。また、増設スピーカ６は、各種の生活音を出力するために設けられている。したがって、この増設スピーカ６は、出力する生活音の種類に応じて、複数の箇所（宅内の玄関、リビング、キッチン、バスルーム）などに設けられていても良い。この生活音としては、リビングにおけるテレビ音やステレオの音楽、犬や赤ちゃんの声、洗濯機や掃除機の音、シャワーやお風呂の音、廊下や階段を歩く足音、キッチンにおける炊事、洗い物や包丁の音、会話の話し声などが挙げられる。
【００１１】
ドアホン子器２は、インターホン親機１に接続され、呼出釦２ａ及びマイク／スピーカ部２ｂを備えている。このドアホン子器２は、訪問者によって呼出釦２ａが操作されると共に、住人と訪問者との会話時にはマイク／スピーカ部２ｂを介して音声信号を送受信する。
【００１２】
人体検知センサ４は、住宅区域内の各所に設けられた人体検知センサ部４１と、人体検知信号送信部４２とを備えている。人体検知センサ部４１は、電源部５からの電力を用いて動作する焦電センサなどからなる。この人体検知センサ部４１は、自己の検知範囲に人物を検出した場合には、その旨の人体検知信号を人体検知信号送信部４２によって発生させて、インターホン親機１に送信させる。
【００１３】
インターホン親機１は、制御部１１に、通話回路１２，マイク１３，呼出検知回路１４，通話釦１５，留守設定釦１６，タイマー１７，人体検知信号受信部１８，アンプ回路１９及び切替部２０及びスピーカ２１，報知音発生回路２２，生活音発生回路２３が接続されている。このインターホン親機１は、住宅内の交流電源ＡＣが電源部３を介して供給されていることによって、動作する。
【００１４】
制御部１１は、いわゆるＣＰＵ等を含むマイクロコンピュータであり、当該インターホン親機１の動作を統括的に制御する。
【００１５】
通話回路１２は、ドアホン子器２と、インターホン親機１のマイク及び制御部１１と接続されている。通話回路１２は、インターホン親機１及びドアホン子器２によって、玄関先の訪問者と住宅の住人とが会話する場合に、音声信号の授受を行う。
【００１６】
呼出検知回路１４は、訪問者によってドアホン子器２の呼出釦２ａが押圧操作されたことを検知した時に、その旨の信号を制御部１１に出力する。また、通話釦１５は、住人が玄関先の訪問者と通話を開始する時に押圧操作され、当該押圧操作が制御部１１によって検知される。
【００１７】
留守設定釦１６は、住人がインターホンシステムを留守モードに設定する時に押圧操作され、当該押圧操作が制御部１１によって検知される。ここで、インターホンシステムには、住人が在宅している時にドアホン子器２の呼出釦２ａの操作に応じて住人に訪問者の存在を通知するなどの動作をする在宅モードと、住人が在宅していない時のための留守モードとの間で動作モードが切り換えられる。この在宅モードとなっている時、制御部１１は、不審者が所定のセキュリティ空間に進入したときに、住宅内で生活音を発生させる。これによって、住人の留守時に、あたかも住人が在宅であるかのような演出を行う。
【００１８】
タイマー１７は、制御部１１に接続されて、制御部１１によって計時のスタート及びリセットが制御される。また、人体検知信号受信部１８は、制御部１１及び人体検知センサ４に接続され、当該人体検知センサ４の人体検知信号送信部４２から送信された人体検知信号を受信して、その旨の信号を制御部１１に出力する。
【００１９】
スピーカ２１は、住人が玄関先にいる訪問者と会話するに際して音声信号が供給される。この音声信号は、切替部２０によって通話回路１２から供給される。また、増設スピーカ６は、住宅内での生活音を発生させる。
【００２０】
切替部２０、報知音発生回路２２及び生活音発生回路２３は、その動作が制御部１１によって制御されて、動作を行う。報知音発生回路２２は、インターホンシステムが在宅モード時において、呼出釦２ａが操作されたことに応じて、報知音信号を切替部２０に供給する。また、生活音発生回路２３は、インターホンシステムが留守モード時において、人体検知信号受信部１８から不審者が存在することに応じて、生活音信号を切替部２０に供給する。切替部２０は、制御部１１の制御に従って、報知音信号、通話回路１２から供給された音声信号又は生活音信号が供給される。そして、切替部２０は、制御部１１の制御に従って、音声信号又は報知音信号をスピーカ２１に供給し、又は、生活音信号を増設スピーカ６に供給する。
【００２１】
ここで、住宅の広さ、生活音の種類などによって生活音の大きさを変更する必要があり、その設定がユーザの操作によって行われた場合には、制御部１１の制御などに従って、アンプ回路１９におけるゲインを調整する。これにより、インターホンシステムは、不審者に対してあたかも住人が在宅のように思わせるという目的を達成するために、適切な音の大きさで生活音を発生させることができる。
【００２２】
つぎに、上述したように構成されたインターホンシステムにおける具体的な動作手順について、図２のフローチャートを参照して説明する。
【００２３】
この図２に示すインターホンシステムの動作は、インターホン親機１に電源部３からの電源が供給されている状況においては、ステップＳ１にて、人体検知センサ４が人物を検知することによって開始される。人体検知センサ４が人物を人体検知センサ部４１によって検出すると、人体検知信号送信部４２から人体検知信号受信部１８に人物検知信号が供給され、その旨の信号が制御部１１に供給される。
【００２４】
次のステップＳ２においては、制御部１１によって、留守設定釦１６が操作されたことによる現在のインターホンシステムの動作モードが留守モード（留守設定中）であるか否かを判定する。インターホンシステムの動作モードが留守モードである場合にはステップＳ３に処理を進め、留守モードではなく在宅モードである場合にはステップＳ７に処理を進める。
【００２５】
このステップＳ７においては、在宅している住人に対して、所定のセキュリティ空間にて人物が検知されたことを報知するために、スピーカ２１から報知音を出力させる。このとき、制御部１１は、報知音発生回路２２から報知音信号を発生させ、切替部２０によって当該報知音信号をスピーカ２１から出力させる。
【００２６】
ステップＳ３においては、制御部１１によって、タイマー１７を起動させて、経過時間ｔ１の計時をスタートする。
【００２７】
次に制御部１１は、ステップＳ４において、ステップＳ３にてスタートした経過時間ｔ１が所定時間以上であるか否かを判定し、経過時間ｔ１が所定時間以上となっていない場合にはステップＳ５において、所定のセキュリティ空間にて継続して人体検知がされているか否かを判定する。ここで、経過時間ｔ１に対する所定時間は、人体検知センサ４によって検出された人物の存在が確実に不審者の進入であるかを報知するために設定されたものである。
【００２８】
経過時間ｔ１が所定時間以上ではなく継続して人体検知がされている場合には、ステップＳ４に処理を進めてタイマー１７による経過時間ｔ１の計時を継続する。一方、経過時間ｔ１が所定時間以上となった場合にはステップＳ６に処理を進め、経過時間ｔ１が所定時間以上となる前に人体検知の継続が途切れた場合にはステップＳ１に処理を戻す。
【００２９】
ステップＳ６においては、増設スピーカ６から報知音を出力させる。このとき、制御部１１は、報知音発生回路２２から報知音信号を発生させ、切替部２０によって当該報知音信号をスピーカ２１から出力させる。
【００３０】
以上詳細に説明したように、本発明を適用したインターホンシステムによれば、人体検知センサ４によって所定のセキュリティ空間に人物が進入したことが検出された時、インターホン親機１の動作モードが留守モードに設定されている場合には、室内の生活音を出力させるので、住居人が不在であっても所定のセキュリティ空間におけるセキュリティを高めることができる。
【００３１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００３２】
【図１】本発明を適用したインターホンシステムの機能的な構成を示すブロック図である。
【図２】本発明を適用したインターホンシステムの具体的な動作を示すフローチャートである。
【符号の説明】
【００３３】
１  インターホン親機
２  ドアホン子器
２ａ  呼出釦
２ｂ  マイク／スピーカ部
３  電源部
４  人体検知センサ
５  電源部
６  増設スピーカ
７  特許文献特開平
１１  制御部
１２  通話回路
１３  マイク
１４  呼出検知回路
１５  通話釦
１６  留守設定釦
１７  タイマー
１８  人体検知信号受信部
１９  アンプ回路
２０  切替部
２１  スピーカ
２２  報知音発生回路
２３  生活音発生回路
４１  人体検知センサ部
４２  人体検知信号送信部
【図１】
2009290350.tif 000003
【図２】
2009290350.tif 000004